(57)【特許請求の範囲】
【請求項１】
上墓石ブロッックと下墓石ブロッックの少なくとも２つの墓石ブロッックを積層して構築される墓石の免震装置において、
前記下墓石ブロックの上面側に埋設される下装着体と、前記下墓石ブロック上に設置される上墓石ブロックの底面側において、前記下装着体との相対位置に埋設される上装着体と、これら下装着体と上装着体とに挿通される強靱なワイヤー等の鋼索で所定の長さを有する支持体とで構成され、
前記下装着体は、金属ブロック等の剛性を有する固定部を備え、該固定部の略中心には、その上下面を連通する連通孔が形成されるとともに、該連通孔には、前記固定部の上面側から下面側にかけて所定の長さ範囲にわたって雌ネジが切られており、
前記上装着体は、弾性材料からなる弾性保持部と、上面に開口部を有して前記弾性保持部の収納を自在とする剛性を有する金属材料からなる外装ケースと、前記開口部から挿入されて前記弾性保持部の上面に配置される剛性を有する金属材料からなる冠着部とを備えているとともに、前記弾性保持部、前記外装ケースおよび前記冠着部のそれぞれ略中央には、前記支持体を通通するための挿通孔が形成されており、
前記支持体には、前記連通孔の雌ネジと螺合するボルトが移動自在に挿通されているとともに、該支持体の一端側には前記冠着部の上面に当接される上係止部が設けられ、その他端側には前記ボルトの底面と当接する下係止部が設けられていることを特徴とする墓石の免震装置。
【請求項２】
前記弾性保持部は、シリコンゴムで形成されることを特徴とする請求項１に記載の墓石の免震装置。
【請求項３】
前記固定部と前記外装ケースの外周面には、ローレット加工などの表面目あらし加工が施されていることを特徴とする請求項１または２に記載の墓石の免震装置。
【請求項４】
上墓石ブロッックと下墓石ブロッックの少なくとも２つの墓石ブロッックを積層して構築される墓石の免震装置において、
前記上墓石ブロッックと下墓石ブロッックの対向面内に埋設される上装着体および下装着体と、一端側に第１ボルト部、他端側に第２ボルト部を備えて剛性を有する金属材料で一体的に形成される支持体とで構成され、
前記下装着体は、前記下墓石ブロックの穴内に取り付けられる弾性材料からなる固定部を備え、該固定部の略中央には前記第１ボルト部と螺合する第１雌ネジが形成されており、
前記上装着体は、内周面に前記第２ボルト部と螺合する第２雌ネジを備え、前記上墓石ブロックの穴内に取り付けられる弾性材料からなる保持部と、前記上墓石ブロックの穴における前記保持部の取り付け高さを規定する剛性を有する金属材料からなる筒状のスペーサとを備え、前記上墓石ブロックの穴には前記スペーサにより前記保持部の上部に前記第２雌ネジを突き抜けた前記第２ボルト部が収納される収納空間が設けられており、
前記支持体の第１ボルト部は前記下装着体の前記第１雌ネジに螺着され、前記支持体の第２ボルト部は前記上装着体の前記第２雌ネジを突き抜けた状態で前記上墓石ブロックの穴内の前記収納空間内に収納されていることを特徴とする墓石の免震装置。
【請求項５】
前記第２ボルト部と前記第２雌ネジのネジ山ピッチが、前記第１ボルト部と前記第１雌ネジのネジ山ピッチよりも大きくされている請求項４に記載の墓石の免震装置。
【発明の詳細な説明】
【０００１】
【発明の属する技術分野】
本発明は、地震等の大きな震動によっても積層された墓石ブロックが転倒しないようにした墓石の免震装置に関する。
【０００２】
【従来の技術】
一般に、居住用住宅等の建築物は、土盤上に石などを積層して基礎ブロックを施工し、その上で建築物の土台などを強固に固定して一体化するという結合構造を採用している。
【０００３】
このような結合構造においては、地震等による振動が発生した場合、その振動の大半がそのまま建築物に伝わるため不快な思いをしたり、場合によっては、基礎ブロックに破損が生じて、建築物に悪影響を及ぼすという問題があった。
【０００４】
建築物の基礎ブロックと同様、石等が積層されることにより組み立てられる墓石は、極めて重い石を積み重ねたものであるから、風雨等で倒れることはない。しかし、建築基礎ブロックとは違い、その積層高さが高いだけに大きな地震等では倒れやすく、多数の墓石ブロックを高く積層した墓石ブロックは特に倒れやすい。
【０００５】
また、それほど大きな地震ではなくとも、地震の周期が墓石の揺れる周期に共振すると、極めて倒れやすい。これは、墓石ブロックが地震等による垂直あるいは水平方向への震動により、墓石ブロックがその震動とともに移動してしまい、墓石の積層位置の安定性を損なうことが原因とされる。
【０００６】
一般に墓石は、複数の墓石ブロックを墓場に運搬し、墓場で積み重ねて構築される。墓石ブロックは、決められた安定位置に正確に積層して構築される。この場合、墓石ブロックにモルタルを充填して墓石ブロックをセメントで結合したり、エポキシ系の接着剤や、シアノアクレート系の接着剤で墓石を固定するようにしている。
【０００７】
従来の構築法によるセメントの結合による墓石は、地震がそれほど大きなものでない場合でも、セメントが衝撃に弱いため、墓石ブロックの振動で簡単に剥離してしまい、積層される墓石ブロックの安定性を低下させてしまうという問題がある。
【０００８】
また、エポキシ系の接着剤等により接着された墓石では、墓石ブロック同士の接着強度は強固なものの、耐衝撃強度が低いため接着部分が剥離し、あるいは、墓石ブロックの一部が破損する欠点がある。
【０００９】
従来の墓石では、いずれにしても、墓石ブロック相互の安定性を維持することが難しく、墓石ブロックが転倒する等、その衝撃により墓石ブロックが破損し再使用することができないことがある。
【００１０】
一方、墓石は、後に戒名等を刻石するため、墓石ブロックを取り外して作業上に運搬する必要もある。この場合には、セメント等の接着剤の剥離作業に手間がかかるばかりでなく、その剥離作業時に墓石ブロックに傷を付けてしまう等、作業性の問題も指摘されている。
【００１１】
このため、墓石ブロックが地震等の衝撃によっても移動することがなく、墓石ブロック相互間を必要に応じて取り外すことができる免震装置が提案されている。その一例を図６の墓石外観図および図７の構造図により説明する。
【００１２】
この免震装置１０は、墓石１を構成する上下ブロック２，３の対向面に予め石工事によって略円柱形状の上下の穴４，５が施され、その穴４，５内に跨って固定されるもので、ステンレス等の剛性を有する金属材料で形成された支持棒１１と、支持棒１１の両端を支持するゴム等の弾性材料からなるリング状の上支持部１２および下支持部１３とを備えている。
【００１３】
支持棒１１は、上支持部１２と下支持部１３内に挿通され、上下支持部１２，１３の両端面からナット１４ａ，１４ｂおよび１５ａ，１５ｂに締着され固定支持される。
【００１４】
この状態で、下穴５内に支持部１３を押し込んで固定した後、下穴５と上穴４とを相対させるように上ブロック２を降下させ、上穴４内に支持部１２を強制的に挿入することにより、墓石１内に組み込まれる。
【００１５】
このようにして、免震装置１０は、墓石の大きさや高さに応じて適宜（この例では４つ）の個数が用意され、上下墓石ブロック２，３の相対する対向面内に設けられる。
【００１６】
【発明が解決しようとする課題】
上記従来の免震装置１０は、墓石ブロック同士を接着剤等によることなく固定することができるとともに、地震等の振動を上下支持部１２，１３の弾性力によって吸収することができる。
【００１７】
しかし、上下支持部１２，１３によって、転倒モーメントによる浮き上がり等の垂直方向への動きを制御することはできるものの、水平方向への変位に対しては、上下支持部１２，１３に曲げやせん断などの変形が生じることがある。
【００１８】
この変形がさらに進むと、支持棒１１の引っ張り力が支配的となり、支持部１２，１３に凸形の変形が生じてしまう。この凸形等の歪みは、振動等の吸収を低減させるだけでなく、墓石ブロック２，３への直接の衝撃となって横振れなど弾性的な挙動を制御することができない。
【００１９】
また、上下支持部１２，１３の歪みにより、支持棒１１には、直接地震等の振動が伝達されてしまい、支持棒１１が切断する等、その耐久性に問題が生じ、上下ブロック２，３を安定よく支持するという初期の目的が達成できないという問題も生じる。
【００２０】
このため、従来の免震装置１０は、上ブロック２の移動を制御することができず、上下ブロック２，３の安定位置を維持することができない。その結果、地震等の振動によって上ブロック２が転倒して破損する等の問題が生じている。
【００２１】
本発明は、上記従来の課題に鑑みなされたもので、その目的は、積層される墓石ブロック相互間を支持して上墓石ブロックが安定位置から移動して転倒等することがないようにするとともに、簡単な作業で上下墓石ブロック内に装着することができる墓石の免震装置を提供することにある。
【００２２】
【課題を解決するための手段】
上記課題を解決するため、本願の第１発明は、上墓石ブロッックと下墓石ブロッックの少なくとも２つの墓石ブロッックを積層して構築される墓石の免震装置において、前記下墓石ブロックの上面側に埋設される下装着体と、前記下墓石ブロック上に設置される上墓石ブロックの底面側において、前記下装着体との相対位置に埋設される上装着体と、これら下装着体と上装着体とに挿通される強靱なワイヤー等の鋼索で所定の長さを有する支持体とで構成され、前記下装着体は、金属ブロック等の剛性を有する固定部を備え、該固定部の略中心には、その上下面を連通する連通孔が形成されるとともに、該連通孔には、前記固定部の上面側から下面側にかけて所定の長さ範囲にわたって雌ネジが切られており、前記上装着体は、弾性材料からなる弾性保持部と、上面に開口部を有して前記弾性保持部の収納を自在とする剛性を有する金属材料からなる外装ケースと、前記開口部から挿入されて前記弾性保持部の上面に配置される剛性を有する金属材料からなる冠着部とを備えているとともに、前記弾性保持部、前記外装ケースおよび前記冠着部のそれぞれ略中央には、前記支持体を通通するための挿通孔が形成されており、前記支持体には、前記連通孔の雌ネジと螺合するボルトが移動自在に挿通されているとともに、該支持体の一端側には前記冠着部の上面に当接される上係止部が設けられ、その他端側には前記ボルトの底面と当接する下係止部が設けられていることを特徴としている。
【００２３】
この場合、保持体は、シリコンゴムで形成されることが好ましく、固定部と外装ケースの外周面には、ローレット加工などの表面目あらし加工が施されるとよい。
【００２４】
また、本願の第２発明は、上墓石ブロッックと下墓石ブロッックの少なくとも２つの墓石ブロッックを積層して構築される墓石の免震装置において、前記上墓石ブロッックと下墓石ブロッックの対向面内に埋設される上装着体および下装着体と、一端側に第１ボルト部、他端側に第２ボルト部を備えて剛性を有する金属材料で一体的に形成される支持体とで構成され、前記下装着体は、前記下墓石ブロックの穴内に取り付けられる弾性材料からなる固定部を備え、該固定部の略中央には前記第１ボルト部と螺合する第１雌ネジが形成されており、前記上装着体は、内周面に前記第２ボルト部と螺合する第２雌ネジを備え、前記上墓石ブロックの穴内に取り付けられる弾性材料からなる保持部と、前記上墓石ブロックの穴における前記保持部の取り付け高さを規定する剛性を有する金属材料からなる筒状のスペーサとを備え、前記上墓石ブロックの穴には前記スペーサにより前記保持部の上部に前記第２雌ネジを突き抜けた前記第２ボルト部が収納される収納空間が設けられており、前記支持体の第１ボルト部は前記下装着体の前記第１雌ネジに螺着され、前記支持体の第２ボルト部は前記上装着体の前記第２雌ネジを突き抜けた状態で前記上墓石ブロックの穴内の前記収納空間内に収納されていることを特徴としている。
【００２５】
この第２発明において、震動時の衝撃からネジ山を保護するうえで、前記第２ボルト部と前記第２雌ネジのネジ山ピッチが、前記第１ボルト部と前記第１雌ネジのネジ山ピッチよりも大きくされていることが好ましい。
【００２６】
【発明の実施の形態】
以下、本発明を図面に基づいて説明する。
まず、図１および図２を参照して、本発明の免震装置１００は、基礎ブロックとして積層される上ブロック１５０および下ブロック１６０において、下ブロック１６０に埋設される下装着体１２０と、上ブロック１５０に埋設される上装着体１１０と、上下装着体１１０，１２０間を支持する支持体１３０とで構成される。
【００２７】
支持体１３０は、ワイヤー等の強靱な鋼索で形成され、ボルト１３１が挿通されている。ボルト１３１には、支持体１３０に挿通される挿通孔１３１ａが設けられ、挿通孔１３１ａは、頭部１３１ｃから雄ネジ部１３１ｂにかけて連通して設けられている。
【００２８】
なお、本実施形態では、支持体１３０はワイヤーで形成されているが、ワイヤーと同等の強靱性を備えるプラスチック材料から形成されてもよい。また、ボルト１３１を六角ボルトで構成しているが、ボルトの種類はこれに限定されるものではない。
【００２９】
支持体１３０の長さは、上下ブロック１５０，１６０の穴１５１，１６１内に埋設される上下装着体１１０，１２０の位置関係に応じて適宜選択され、その両端部には略円柱形状を呈する上係止部１３２および下係止部１３３が例えばカシメなどにて固着されている。
【００３０】
この場合、上下係止部１３２，１３３は、少なくとも支持体１３０の外径よりも大きく形成され、下係止部１３３は、ボルト１３１の雄ネジ部１３１ｂより小径で、かつ、挿通孔１３１ａより大径に形成されている。
【００３１】
下装着体１２０は、金属ブロックで形成される固定部１２１を備え、この固定部１２１には、上面１２２から底面１２３にかけてその略中央を連通する連通孔１２４が設けられている。
【００３２】
連通孔１２４には、上面１２２側から底面１２３側に向けて雄ネジ部１３１ｂと螺合する雌ネジを備える雌ネジ部１２５が設けられている。また、連通孔１２４の長さは、少なくとも雄ネジ部１３１ｂと下係止部１３３とが収納される大きさに形成されている。
【００３３】
上装着体１１０は、ゴム等の弾性材料で形成される弾性保持部１１１と、その上面に弾性保持部１１１より大径の開口部１１３を有して略カップ状を呈して形成される外装ケース１１２と、弾性保持部１１１と略同径で略円盤状を呈する冠着部１１４とを備えている。
【００３４】
この場合、弾性保持部１１１、外装ケース１１２および冠着部１１４のそれぞれ略中央には、支持体１３０が挿通される挿通孔１１１ａ，１１２ａ，１１４ａが形成されている。
【００３５】
弾性保持部１１１は、適度な弾力性を有するとともに、挿通される支持体１３０の移動に伴う損傷が生じないような弾性材である例えばシリコンゴムから形成されている。また、外装ケース１１２および冠着部１１４は、ステンレス等の剛性を有する金属材料で形成されている。
【００３６】
上装着体１１０は、上係止部１３２の側から挿通孔１１１ａ，１１２ａ，１１４ａを介して冠着部１１４、弾性保持部１１１および外装ケース１１３の順で支持体１３０に挿通される。また、ボルト１３１はその頭部１３１ｃが外装ケース１１３の底面側に位置するように支持体１３０に挿通される。
【００３７】
下装着体１２０は、ボルト１３１の雄ネジ部１３１ｂを連通孔１２４の雌ネジ部１２５に螺合させることにより、支持体１３０に支持される。なお、本実施形態では、雌ネジ部１２５を連通孔１２４と一体的に形成しているが、連通孔１２４に雄ネジ部１３１ｂと合致するナットを取付けるようにしてもよい。
【００３８】
図２および図３に示すように、相対する上ブロック１５０と下ブロック１６０の対向面には、予め石工事等により穴（上穴）１５１と穴（下穴）１６１とがそれぞれ形成されている。
【００３９】
上穴１５１は、上装着体１２０と略同じ径幅で形成されるとともに、その長さは、少なくとも冠着部１１４と上係止部１３２とが当接した状態での上係止部１３２と上装着体１１０との長さよりやや大きく形成されている。
【００４０】
また、下穴１６１は、下装着体と略同じ径幅で形成されるとともに、その長さは、ボルト１３１の頭部１３１ａが締結された状態での頭部１３１ｃと下装着体１２０との長さよりやや大きく形成されている。
【００４１】
上装着体１１０および下装着体１２０は、各穴１５１，１６１内に挿入され、例えばエポキシ系樹脂等の接着剤により固定される。本実施の形態において、外装ケース１１２および固定部１２１は、その外表面にローレット加工等の表面目あらし加工が施され、穴１５１，１６１との滑りを防止して接着効果を向上させるようにしている。
【００４２】
また、冠着部１１４は、弾性保持部１１１と外装ケース１１２とが接着して弾性保持部１１１の遊動性を損なうことがないよう、外装ケース内１１２への接着剤の侵入を防いでいる。
【００４３】
この免震装置１００の基礎ブロックへの取付け手順の一例について説明する。まず、支持体１３０に上装着体１１０とボルト１３１とが挿通され（図１参照）、これに対して下装着体１２０が分離されている状態で、上ブロック１５０の上穴１５１に上装着体１１０を接着固定し、下ブロック１６０の下穴１６１に下装着体１２０を接着固定する。
【００４４】
そして、上ブロック１５０を下ブロック１６０の上に運び、下係止部１３３を下装着体１２０の連通孔１２４内に入れた後、図示しないスパナなどの工具によりボルト１３１を下装着体１２０の雌ネジ部１２５にしっかりと螺合する。これにより、図２に示すように、上装着体１１０と下装着体１２０は、支持体１３０を介して連結支持される。
【００４５】
このように、支持体１３０を伸張させた状態で下装着体１２０に取り付け、その後、上ブロック１５０を下ブロック１６０上に積層することにより、支持体１３０は、その積層後には伸張状態が解除され適度な緩みを持って上下ブロック１５０，１６０を支持することになる。
【００４６】
本実施形態では、上係止部１３２および下係止部１３３は、ステンレス等の金属材料からなり、支持体１３０にカシメなどにより強固に固着されているため、地震等の振動により上ブロック１５０に位置ずれが生じ支持体１３０が伸張した場合でも、支持体１３０から離脱することはない。
【００４７】
したがって、この免震装置１００は、地震等の振動より上ブロック１５０が安定位置から移動したとしても、支持体１３０の強靱さによって上ブロック１５０の転倒を防止する。
【００４８】
次に、図４に一般的な墓石の構造を示し、本発明の免震装置を墓石に適用した場合の実施形態について説明する。この例において、墓石２００は、下段に中台２０１、中段に上台２０２、上段に竿台２０３が積層され、墓石２００の背面側に卒塔婆塔２１０が構築されている。
【００４９】
免震装置１００は、上台２０２と中台２０１との相対する対面内の所定箇所（この例では２箇所）および上台と２０２と竿台２０３との相対する対面内の所定箇所（この例では１箇所）に設けられる。
【００５０】
このように、本発明の免震装置１００は、一般基礎ブロックより高く構築される墓石ブロック内に、墓石の大きさや高さを考慮して取り付けられることにより、地震等による振動によって、墓石ブロックが転倒して破損することがないように利用される。
【００５１】
また、戒名等の刻石に際して墓石ブロックを取り外す際は、先の上ブロック１５０に相当する竿台２０３を持ち上げた後、ボルト１３１を緩めることにより、下装着体１２０と支持体１３０の連結を解除することができるため、簡単に取り外しでき、また、その作業に墓石に傷を付けることもない。
【００５２】
なお、本実施形態では、上装着部１１０および下装着部１２０とを円筒形状としているが、この形状に限られることはなく、これらを例えば矩形状に形成し、上穴１５１および下穴１６１をこれらと適合できる形状に削石してもよい。
【００５３】
また、本実施の形態では、本発明の免震装置１００を、上装着体１１０を上ブロック１５０に装着し、下装着体１２０に下ブロック１６０を装着した例で説明したが、下装着体を１２０を上ブロック１５０に、上装着体１１０を下ブロック１６０に上装着体１１０に装着しても、上下ブロック１５０，１６０相互の安定性を維持することができる。
【００５４】
また、図４に示すように、本発明の免震装置１００は、墓石等の比較的重量のある大きな積層ブロックに適用することができるほか、卒塔婆塔２１０等の上ブロック２１１が比較的高く積層される構造を有する墓石構造にも適用できる。
【００５５】
図５に、墓石２００に適用される免震装置の他の例を示す。この免震装置４００は、上ブロック４５０の穴（上穴）４５１内に取り付けられる上装着体４１０と、下ブロック４６０の穴（下穴）４６１内に取り付けられる下装着体４２０と、それらの間に設けられる支持体４３０とを含んで構成される。
【００５６】
この免震装置４００は、前記免震装置３００と同じく特に卒塔婆塔２１０（図４参照）に好ましく適用され、その場合、上ブロック４５０は竿台２１１に相当し、下ブロック４６０は上台２１２に相当する。
【００５７】
支持体４３０は、アルミニウム等の剛性を有する金属材料からなる棒状の胴体部４３１を備え、その下端側には雄ネジが切られた第１ボルト部４３２が設けられ、また、上端側にも雄ネジが切られた第２ボルト部４３３が設けられている。
【００５８】
下装着体４２０は、ゴムなどの弾性材料からなる固定部４２１を備え、この固定部４２１の略中央には、第１ボルト部４３２と螺合する雌ネジ部４２３を有する支持穴４２２が設けられている。
【００５９】
上装着体４１０は、第２ボルト部４３３に螺合するネジ山が切られたゴムなどの弾性材料からなる保持部４１１と、この保持部４１１の上ブロック４５０の上穴４５１内での取り付け位置を規定する例えば金属材料からなる筒状のスペーサ４１２とを備えている。
【００６０】
この場合、スペーサ４１２は、上ブロック４５０の上穴４５１内で保持部４１１の上部に支持体４３０の第２ボルト部４３３を収納するのに十分な空間４１３を確保するために用いられている。
【００６１】
すなわち、支持体４３０の第１ボルト部４３２と下装着体４２０の雌ネジ部４２３は緊密な螺合形態をとるのに対して、支持体４３０の第２ボルト部４３３と上装着体４１０の保持部４１１は、図７に示すように、ネジ山ピッチが粗く、かつ、ネジ溝が深いだけでなく、ネジ山数も例えば２〜３と少ない。
【００６２】
したがって、第２ボルト部４３３を保持部４１１に螺合して数回まわすと、第２ボルト部４３３が保持部４１１を突き抜ける。スペーサ４１２は、その突き抜けた第２ボルト部４３３を上穴４５１内で遊びをもって収納する空間４１３を確保するために用いられている。
【００６３】
この免震装置４００は、例えば次のようにして組み立てられる。下装着体４２０については、その固定部４２１を下ブロック４６０の下穴４６１内に嵌合してエポキシ系樹脂の接着剤等により固定する。上装着体４１０については、上ブロック４５０の上穴４５１内に、スペーサ４１２および保持部４１１をこの順序で入れた後、その各々を接着材で固定する。
【００６４】
支持体４３０の第１ボルト部４３２を下装着体４２０の雌ネジ部４２３に螺合して、支持体４３０を下装着体４２０に立設した後、図示しないホイスト式天井クレーンなどの吊り下げ搬送手段にて上ブロック４５０を支持体４３０上にまで運び、支持体４３０に対して保持部４１１に位置合わせする。
【００６５】
そして、上ブロック４５０を数回程度回して第２ボルト部４３３を保持部４１１に螺合させて、第２ボルト部４３３を保持部４１１から突き抜けさせた後、上ブロック４５０を下ブロック上に置く。
【００６６】
この免震装置４００によれば、第２ボルト部４３３が保持部４１１の上部空間４１３内にフリーの状態で配置されるため、積層後に上ブロック４５０を任意に回転させて、その正面を任意の方向に向けることができる。また、上穴４５１や下穴４６１の軸線が傾いていても、下ブロック４６０上に上ブロック４５０を真っ直ぐに置くことができる。ちなみに、保持部４１１と第２ボルト部４３３とを緊密な螺合形態とした場合には、これができない。
【００６７】
また、地震等の振動による上ブロック４５０の浮き上がりは第２ボルト部４３３により阻止され、横方向の震動は支持体４３０の胴体部４３１が保持部４１１のネジ山に接触することにより緩衝される。
【００６８】
いずれにしても、保持部４１１のネジ山は、上ブロック４５０が安定位置からずれて支持体４３０と接触した場合に、その衝撃を緩和し得る弾力性を確保できる程度の大きなピッチで形成され、第２ボルト部４３３もその大きさに対応しているため、衝撃によって保持部４１１のネジ山が崩れてしまうおそれがなく、第２ボルト部４３３を保持部４１１のネジ山に沿って回転させることにより、支持体４３０を上装着体４１０から容易に取り外すことができる。
【００６９】
図４に示すように、本発明の免震装置１００，４００を墓石２００のそれぞれ積層されるブロックの重量や高さを考慮して上下ブロック内に埋設することにより、墓石ブロックが地震などの振動により安定位置から移動するのを防ぎ、安定位置から移動することによって引き起こされる転倒などによる墓石の破損を回避することができる。
【００７０】
また、免震装置１００，４００はそれぞれ積層される墓石相互間に接着剤などを介在させることなく取り付けられるため、取り外し作業に際して墓石を破損することもなく、その作業も容易に行うことができる。
【００７１】
【発明の効果】
以上説明したように、本発明の免震装置によれば、積層される墓石ブロック同士をセメントや接着剤等の接着手段を介在させることなく支持することができるとともに、地震等の震動による上ブロックの移動を最小限に抑えて安定位置を維持することができる。また、墓石ブロックの取り外し作業も簡単に行うことができる。
【図面の簡単な説明】
【図１】本発明による免震装置を分解して示す斜視図。
【図２】本発明による免震装置の上下ブロックに対する装着手順を示す断面図。
【図３】本発明による免震装置の上下ブロックに対する装着状態を示す断面図。
【図４】本発明による免震装置を墓石に適用した例を示す説明図。
【図５】墓石に適用される本発明の免震装置の他の例を示す断面図。
【図６】墓石に対する従来の免震装置の適用例を示す説明図。
【図７】従来の免震装置の上下ブロックに対する装着状態を示す断面図。
【符号の説明】
１００，４００  免震装置
１１０  上装着体
１１１  弾性保持部
１１１ａ，１１４ａ，１３１ａ  挿通孔
１１２  外装ケース
１１３  開口
１１４  冠着部
１２０  下装着体
１２１  固定部
１２４  連通孔
１２５  雌ネジ部
１３０  支持体
１３１  ボルト
１３１ｂ  雌ネジ部
１３１ｃ  頭部
１３２  上係止部
１３３  下係止部
１５０  上ブロック
１６０  下ブロック
１５１，１６１  穴
４１０  上装着体
４１１  保持部
４１２  スペーサ
４２０  下装着体
４２１  固定部
４２２  支持穴
４２３  雌ネジ部
４３０  支持体
４３１  胴体部
４３２  第１ボルト部
４３３  第２ボルト部
【図１】
0003854531.tif 000002
【図２】
0003854531.tif 000003
【図３】
0003854531.tif 000004
【図４】
0003854531.tif 000005
【図５】
0003854531.tif 000006
【図６】
0003854531.tif 000007
【図７】
0003854531.tif 000008